(57)【要約】【課題】包装用フィルムに切り込み等の破断誘導部を設けなくてもフィルムを開封することができ、しかも取扱いが容易な開封用ラベルを提供する。【解決手段】開封用ラベル２０は、基材２１と、その裏面に設けられた粘着層２２とを備える。基材２１は、商品を包装する包装用フィルムの表面に粘着層２２により貼り付けられる。基材２１には、所定箇所２３から互いに交差する方向に延びる一対の切り込み２４，２５が設けられている。基材２１において各切り込み２４，２５により挟まれた部分は他の部分から分離してフィルム側へ押し込み可能な押し込み片２７となっている。押し込み片２７は、所定箇所２３に隣接する頂部２７ａが、当該押し込み片２７の押し込みに際しフィルムを破断させるための頂部２７ａとなっている。また、粘着層２２は、基材２１の裏面においてその全域に亘って設けられている。【選択図】      図２
2017077914.tif 000002
【特許請求の範囲】
【請求項１】
商品を包装する包装用のフィルムに貼り付けられ、当該フィルムを開封する際に用いられる開封用ラベルであって、
裏面に粘着層が設けられ、該粘着層により前記フィルムの表面に貼り付けられる基材を備え、
前記基材には、互いに交差する方向に延びかつ所定の箇所にて連続する一対の切り込みが設けられ、
前記基材において前記各切り込みにより挟まれた部分は他の部分から分離して前記フィルム側へ押し込み可能な押し込み片となっており、
前記押し込み片は、前記所定の箇所に隣接する頂部が、前記押し込みに際し前記フィルムを破断させるための破断頂部となっており、
前記粘着層は、前記基材の裏面において前記切り込みを挟んだ両側に跨がるように形成されていることを特徴とする開封用ラベル。
【請求項２】
前記各切り込みは、前記押し込み片を挟んだ両側において、前記所定箇所とは反対側の端部が前記基材の端縁に達しないで開放端となっていることを特徴とする請求項１に記載の開封用ラベル。
【請求項３】
前記基材は、前記フィルムよりも硬い材料により形成されていることを特徴とする請求項１又は２に記載の開封用ラベル。
【請求項４】
前記粘着層は、前記基材の裏面全域に設けられていることを特徴とする請求項１乃至３のいずれか一項に記載の開封用ラベル。
【請求項５】
前記押し込み片の破断頂部における角度が３０°〜１１０°の範囲に設定されていることを特徴とする請求項１乃至４のいずれか一項に記載の開封用ラベル。
【請求項６】
前記基材には、前記各切り込みが互いに交差して設けられていることで、それら各切り込みにより挟まれてなる前記押し込み片が複数形成されていることを特徴とする請求項１乃至５のいずれか一項に記載の開封用ラベル。
【発明の詳細な説明】
【技術分野】
【０００１】
本発明は、商品を包装する包装用のフィルムに貼り付けられ、そのフィルムを開封する際に用いられる開封用ラベルに関する。
【背景技術】
【０００２】
従来より、食品等の商品を販売する際に、安全性や衛生面の観点から、商品を包装用フィルムにより包装して販売することが行われている。このような商品では、商品が購入された後、フィルムが開封されて商品が取り出されることになる。
【０００３】
ところで、包装用フィルムとしては、シュリンクフィルム等の裂けにくいフィルムが用いられる場合がある。この場合、フィルムを指で押し破って開封しようとしても、フィルムが延びるだけで破れないことが多く、開封に苦労することになる。
【０００４】
そこで特許文献１には、この対策として、包装用フィルムの表面に、当該フィルムを開封し易くする開封用ラベルを貼り付けたものが提案されている。この開封用ラベルには、中央にミシン目が設けられ、ミシン目の両側には粘着面が設けられている。開封用ラベルは、そのミシン目を包装用フィルムの繋ぎ目に沿わせた状態でフィルムに貼り付けられる。また、開封用ラベルは、各粘着面よりも外側が糊なし面（非粘着面）とされることで一対の摘み部が形成されている。この場合、各摘み部を両側に引っ張ることで開封用ラベルをミシン目において開裂させ、それと同時に包装用フィルムを繋ぎ目において開裂させることが可能となっている。
【０００５】
また、特許文献２には、包装用フィルムに切り込みを設け、その切り込みを覆うように開封用ラベルを貼り付けたものが提案されている。この開封用ラベルでは、その一部が非粘着部とされることで摘み部とされている。この場合、その摘み部を引っ張って開封用ラベルを剥がすことで、切り込みを起点として包装用フィルムを開裂させることが可能となっている。
【先行技術文献】
【特許文献】
【０００６】
【特許文献１】特開２０１１−０８４３２７号公報
【特許文献２】特開２００４−３１５０１６号公報
【発明の概要】
【発明が解決しようとする課題】
【０００７】
ところで、上記特許文献１の開封用ラベルは、包装用フィルムの繋ぎ目でフィルムを開裂させるものであるため、繋ぎ目（破断誘導部）のないフィルムには使用することができない。
【０００８】
また、摘み部を引っ張ることで包装用フィルムを開裂させる際に、開封用ラベルのミシン目だけが開裂してフィルムが開裂されない事態が生じることも想定される。その場合、開封用ラベルを用いたフィルムの開封が不可となるため、フィルムの開封が困難となる。
【０００９】
さらに、摘み部は包装用フィルムに対して非粘着とされているため、フィルムから浮き上がり易くなっている。そのため、取り扱いに際し摘み部が邪魔になるおそれがある。
【００１０】
一方、上記特許文献２の開封用ラベルでは、包装用フィルムに予め切り込み（破断誘導部）を入れておく必要があるため、コスト高につながるおそれがある。しかも、切り込みは店頭では付けられず、汎用性に欠けるといった問題もある。
【００１１】
また、摘み部を引っ張って開封用ラベルを剥がすことで包装用フィルムを開裂させる際に、開封用ラベルは剥がしたもののフィルムが開裂されない事態が生じることも想定される。その場合、上記特許文献１の場合と同様、開封用ラベルによるフィルムの開封が不可となる。また、摘み部がフィルムから浮き上がって取り扱いの邪魔になるという上述の問題も同様に発生するおそれがある。
【００１２】
本発明は、上記事情に鑑みてなされたものであり、包装用フィルムに切り込み等の破断誘導部を設けなくてもフィルムを開封することができ、しかも取扱いが容易な開封用ラベルを提供することを主たる目的とするものである。
【課題を解決するための手段】
【００１３】
上記目的を達成すべく、第１の発明の開封用ラベルは、商品を包装する包装用のフィルムに貼り付けられ、当該フィルムを開封する際に用いられる開封用ラベルであって、裏面に粘着層が設けられ、該粘着層により前記フィルムの表面に貼り付けられる基材を備え、前記基材には、互いに交差する方向に延びかつ所定の箇所にて連続する一対の切り込みが設けられ、前記基材において前記各切り込みにより挟まれた部分は他の部分から分離して前記フィルム側へ押し込み可能な押し込み片となっており、前記押し込み片は、前記所定の箇所に隣接する頂部が、前記押し込みに際し前記フィルムを破断させるための破断頂部となっており、前記粘着層は、前記基材の裏面において前記切り込みを挟んだ両側に跨がるように形成されていることを特徴とする。
【００１４】
本発明によれば、基材の裏面に設けられた粘着層により基材が包装用フィルムの表面に貼り付けられる。基材には、互いに交差する方向に延びる一対の切り込みが設けられ、それら各切り込みの間が押し込み片となっている。この場合、押し込み片がフィルムに押し込まれて手前に引かれる（掻き込まれる）ことで、押し込み片の頂部（破断頂部）によりフィルムが破断され、その後押し込み片がさらに手前に引かれることでフィルムの破断が進行しフィルムが開封される。
【００１５】
ここで、フィルムの破断についてより詳しく説明すると、基材の裏面には、切り込みを挟んだ両側に跨がって粘着層が設けられ、その粘着層により基材における切り込みを挟んだ両側部分が包装用フィルムに貼り付けられる。この場合、押し込み片をフィルムに押し込んでフィルムを破断する際に、押し込み片の押し込みに追従してフィルムが延びてしまうのを抑制できるため、押し込み片の押し込みによりフィルムを好適に破断することが可能となる。
【００１６】
このように、上記の構成によれば、押し込み片による押し込み（掻き込み）によりフィルムを開封するようにしているため、包装用フィルムに切り込み等の破断誘導部を設けなくてもフィルムを開封することができる。また、ラベルの一部（摘み部）を引っ張ってフィルムを破断させる従来技術（特許文献１及び２参照）のように摘み部を設ける必要がないため、ラベルに浮き上がる部分を生じさせなくて済み、その結果取扱いを容易とすることができる。
【００１７】
また、通常、（開封用ラベルを用いないで）包装用フィルムを開封する際には、指をフィルムに押し込んで手前に引くこと（掻き込むこと）でフィルムを破断し開封すると考えられる。その点、上記の構成では、押し込み片をフィルムに押し込み手前に引くことでフィルムを破断させるようにしているため、通常のフィルム開封動作と基本的に同じ動作で開封することができる。そのため、開封の仕方がわかりやすいといった利点もある。
【００１８】
第２の発明の開封用ラベルは、第１の発明において、前記各切り込みは、前記押し込み片を挟んだ両側において、前記所定箇所とは反対側の端部が前記基材の端縁に達しないで開放端となっていることを特徴とする。
【００１９】
本発明によれば、押し込み片を挟んだ両側において各切り込みの端部がいずれも基材の端縁に達しないで開放端となっている。この場合、押し込み片によりフィルムが破断された後、さらに押し込み片が手前に引かれると各切り込みの開放端から基材が裂けていき、やがては基材が分離されることになる。このため、かかる分離に伴い包装用フィルムを大きく開封することが可能となる。
【００２０】
第３の発明の開封用ラベルは、第１又は第２の発明において、前記基材は、前記フィルムよりも硬い材料により形成されていることを特徴とする。
【００２１】
本発明によれば、基材が包装用フィルムよりも硬い材料により形成されているため、押し込み片を用いてフィルムを破断する際、その破断を比較的容易に行うことが可能となる。
【００２２】
第４の発明の開封用ラベルは、第１乃至第３のいずれかの発明において、前記粘着層は、前記基材の裏面全域に設けられていることを特徴とする。
【００２３】
本発明によれば、粘着層が基材の裏面全域に設けられているため、基材全域を包装用フィルムに貼り付けることができる。この場合、押し込み片を用いて包装用フィルムを破断する際に、フィルムが延びてしまうのを抑制する効果を高めることができる。そのため、フィルムをより一層破断し易くすることができる。
【００２４】
また、基材に粘着層を形成する際には、基材全面に接着剤を塗布等すればよいため、容易に粘着層を形成することができる。
【００２５】
第５の発明の開封用ラベルは、第１乃至第４のいずれかの発明において、前記押し込み片の破断頂部における角度が３０°〜１１０°の範囲に設定されていることを特徴とする。
【００２６】
ところで、押し込み片の破断頂部における角度、換言すると各切り込みのなす角度が小さいと、押し込み片が細くなるため、押し込み片を包装用フィルムに押し込んでフィルムを破断する際、押し込み片がへたる等してフィルムを上手く破断できないおそれがある。その一方で、押し込み片の破断頂部における角度が大きいと、破断頂部の鋭さが失われるため、破断頂部によりフィルムを破断できなくなるおそれがある。そこで本発明では、これらの点に鑑み、破断頂部における角度を３０°〜１１０°の範囲に設定している。この場合、押し込み片により包装用フィルムを破断するにあたり、フィルムを好適に破断することが可能となる。
【００２７】
第６の発明の開封用ラベルは、第１乃至第５のいずれかの発明において、前記基材には、前記各切り込みが互いに交差して設けられていることで、それら各切り込みにより挟まれてなる前記押し込み片が複数形成されていることを特徴とする。
【００２８】
本発明によれば、基材に押し込み片が複数形成されているため、押し込み片を用いて包装用フィルムを開封する際に都合がよい。例えば、各押し込み片が互いに異なる向きに破断頂部を向けているため、押し込み片でフィルムを破断する際に押し込み片を押し込み易い向きに開封用ラベル（ひいてはそれが貼り付けられた商品包装体）の向きを変えるといった手間が不要となる。また、いずれかの押し込み片で上手くフィルムを開封できなかった場合に、別の押し込み片を用いて開封するといったことも可能となる。
【図面の簡単な説明】
【００２９】
【図１】開封用ラベルが貼り付けられた商品包装体を示す平面図。
【図２】（ａ）が開封用ラベルを示す正面図であり、（ｂ）が断面図である。
【図３】開封用ラベルの作用を説明するための図。
【図４】他の実施形態における開封用ラベルを示す正面図。
【図５】他の実施形態における開封用ラベルを示す正面図。
【発明を実施するための形態】
【００３０】
以下、本発明を具体化した一実施の形態を図面に従って説明する。図１は、開封用ラベルが貼り付けられた商品包装体を示す平面図である。図２は（ａ）が開封用ラベルを示す正面図であり、（ｂ）が断面図である。なお、図２（ｂ）は図２（ａ）のＡ−Ａ線断面図に相当する。また、図２（ｂ）では説明の便宜上、厚み寸法を実際の厚み寸法よりも大きく示している。
【００３１】
図１に示すように、商品包装体１０は、商品１１を載せるためのトレー１２と、商品１１を包装する包装用フィルム１３とを備える。トレー１２は合成樹脂により皿状に形成され、そのトレー１２には鮮魚などの食料品が商品１１として載せられている。トレー１２は、その開放部が包装用フィルム１３により覆われており、商品１１が露出しないようになっている。包装用フィルム１３は、ポリ塩化ビニル等の合成樹脂からなるシュリンクフィルム（熱収縮性フィルム）により形成されている。包装用フィルム１３は、その厚みが例えば５０μｍとなっている。
【００３２】
包装用フィルム１３の表面には、表示ラベル１５が貼り付けられている。表示ラベル１５には、商品名や売値、販売店名等の商品情報や、商品識別コードとしてのバーコードが印刷されている。
【００３３】
包装用フィルム１３の表面には、開封用ラベル２０が貼り付けられている。開封用ラベル２０は、包装用フィルム１３を開封する際に用いられるもので、包装用フィルム１３の略中央部に貼り付けられている。
【００３４】
図２（ａ）及び（ｂ）に示すように、開封用ラベル２０は、矩形形状に形成された基材２１と、基材２１の裏面に形成された粘着層２２とを備える。基材２１は、包装用フィルム１３よりも硬質の樹脂材料により形成され、例えばポリエチレンテレフタラート（ＰＥＴ）により形成されている。また、基材２１は、その厚みが包装用フィルム１３よりも大きくされ、例えば厚みが１５０μｍとなっている。なお、基材２１は、ポリプロピレン（ＰＰ）やポリエチレン（ＰＥ）等、ポリエチレンテレフタラート以外の樹脂材料により形成されてもよい。
【００３５】
基材２１には、一対の切り込み２４，２５が設けられている。これらの切り込み２４，２５は全体としてくの字状をなしており、基材２１の略中央に配置されている。各切り込み２４，２５は、所定の箇所２３から互いに交差する方向に直線状に延びており、所定箇所２３とは反対側の端部が基材２１の端縁に達しないで開放端２４ａ，２５ａとなっている。また、各切り込み２４，２５はいずれも同じ長さを有しており、互いのなす角度αが９０°に設定されている。
【００３６】
基材２１において各切り込み２４，２５により挟まれた部分は他の部分から分離して包装用フィルム１３に押し込み可能な押し込み片２７となっている。押し込み片２７は山形状に形成され、上記所定箇所２３に隣接する頂部２７ａを有している。なお、頂部２７ａが破断頂部に相当する。
【００３７】
粘着層２２は、基材２１の裏面全域に亘って形成されている。粘着層２２は、基材２１の裏面に接着剤が塗布されることにより形成されている。この場合、接着剤としては、エマルジョン系接着剤やソルベント系接着剤、ホットメルト系接着剤等を用いることができる。この粘着層２２により基材２１が包装用フィルム１３に貼り付けられている。
【００３８】
ちなみに、図示は省略するが、上記の開封用ラベル２０は、製造工場において、複数連接されることで長尺状のラベル集合体とされる。ラベル集合体では、粘着層２２の裏面に剥離紙が設けられ、その状態でロール状に巻かれて各店舗に出荷される。店舗では、ラベル集合体から開封用ラベル２０が剥離紙の付いた状態で切り取られ、その後ラベル２０から剥離紙が剥がされ、ラベル２０が包装用フィルム１３に貼り付けられる。
【００３９】
続いて、開封用ラベル２０を用いて包装用フィルム１３を開封する際の作用について説明する。図３は、かかる作用を説明するための断面図である。
【００４０】
図３（ａ）には、開封用ラベル２０（基材２１）が包装用フィルム１３に貼り付けられた状態が示されている。開封用ラベル２０を用いて包装用フィルム１３を開封する際には、まず図３（ｂ）に示すように、基材２１の押し込み片２７を包装用フィルム１３に押し込み手前に引く（掻き込む）ことで押し込み片２７の頂部２７ａにより包装用フィルム１３を破断させる。そして、その後、押し込み片２７をさらに手前に引くことで、包装用フィルム１３の破断を進行させる。これにより、包装用フィルム１３が開封される。
【００４１】
ここで、押し込み片２７を包装用フィルム１３に押し込んでフィルム１３を破断させる際には、押し込み片２７の押し込みに追従して包装用フィルム１３が延びてしまうことが想定される。その場合、包装用フィルム１３を上手く破断させることが困難になるおそれがある。その点、上記の構成では、基材２１における切り込み２４，２５を挟んだ両側部分がそれぞれ粘着層２２により包装用フィルム１３に貼り付けられているため、押し込み片２７の押し込みに伴い包装用フィルム１３が延びてしまうのを抑制することができる。そのため、押し込み片２７の押し込みにより包装用フィルム１３を好適に破断させることができる。
【００４２】
また、押し込み片２７により包装用フィルム１３を破断させた後、さらに押し込み片２７を手前に引いていくと、切り込み２４，２５の開放端２４ａ，２５ａから基材２１が裂けていき、やがては基材２１が分離することになる。このため、かかる分離に伴い、包装用フィルム１３を大きく開封することが可能となる。
【００４３】
以上、詳述した本実施形態の構成によれば、以下の優れた効果が得られる。
【００４４】
上述したように、押し込み片２７を包装用フィルム１３に押し込む（掻き込む）ことでフィルム１３を開封するようにしたため、包装用フィルム１３に切り込み等の破断誘導部を設けなくてもフィルム１３を開封することができる。また、ラベルの一部（摘み部）を引っ張ることでフィルムを破断させる従来技術（特許文献１及び２参照）のように摘み部を設ける必要がないため、ラベル２０に浮き上がる部分を生じさせなくて済み、その結果取扱いを容易とすることができる。
【００４５】
基材２１を包装用フィルム１３よりも硬い材料により形成したため、押し込み片２７を用いてフィルム１３を破断する際、その破断を比較的容易に行うことが可能となる。また、基材２１の厚みを包装用フィルム１３の厚みよりも大きくしたため、この点でも、押し込み片２７によるフィルム１３の破断を容易とすることができる。
【００４６】
粘着層２２を基材２１の裏面全域に設け、基材２１全域を包装用フィルム１３に貼り付けたため、押し込み片２７を用いて包装用フィルム１３を破断する際にフィルム１３が延びてしまうのを抑制する効果を高めることができる。そのため、フィルム１３をより一層破断し易くすることができる。また、基材２１に粘着層２２を形成する際には、基材２１全面に接着剤を塗布等すればよいため、容易に粘着層２２を形成することが可能となる。
【００４７】
ところで、各切り込み２４，２５のなす角度α（換言すると、押し込み片２７の頂部２７ａにおける角度）が３０°未満である場合には、押し込み片２７が細くなるため、押し込み片２７を包装用フィルム１３に押し込んでフィルム１３を破断する際、押し込み片２７がへたる等してフィルム１３を上手く破断できないおそれがある。また、押し込み片２７が細いと、指を頂部２７ａに近づけることができず、頂部２７ａに十分な破断力を伝えることができないおそれがある。その一方で、上記の角度αが１１０°より大きい場合には、頂部２７ａの鋭さが失われるため、頂部２７ａにより包装用フィルム１３を破断できなくなるおそれがある。その点、上記の実施形態では、上記角度αを３０〜１１０°に設定したため、押し込み片２７により包装用フィルム１３を破断するにあたり、フィルム１３を好適に破断することが可能となる。
【００４８】
また、詳しくは、上記の角度αを７５°〜１００°の範囲に設定したため、フィルム１３をより好適に破断することができる。また、より詳しくは、当該角度αを９０°に設定したため、フィルム１３をより一層好適に破断することができる。
【００４９】
本発明は上記実施形態に限らず、例えば次のように実施されてもよい。
【００５０】
（1）上記実施形態では、基材２１を包装用フィルム１３よりも硬質の材料で形成したが、これを変更して、基材２１を包装用フィルム１３と同じ硬さの材料又はそれよりも軟質の材料により形成してもよい。また、上記実施形態では、基材２１の厚みを包装用フィルム１３の厚みよりも大きくしたが、これを変更して、基材２１の厚みを包装用フィルム１３の厚みと同じか又はそれより小さく（薄く）してもよい。さらに、基材２１の形状は必ずしも矩形形状とする必要はなく、円形状や三角形状等他の形状としてもよい。
【００５１】
（２）上記実施形態では、各切り込み２４，２５をいずれも直線状に形成したが、各切り込み２４，２５のうち少なくともいずれかを円弧状とする等、曲線状に形成してもよい。
【００５２】
（３）上記実施形態では、基材２１に各切り込み２４，２５をくの字状をなすように設けたが、これを変更して、図４に示すように、各切り込み３１，３２を十文字状をなすように設けてもよい。図４では、各切り込み３１，３２が互いに交差して設けられており、詳しくは各切り込み３１，３２が互いに直交して設けられている。この場合、基材２１において各切り込み３１，３２の間に挟まれた部分、すなわち押し込み片３３が複数（具体的にには４つ）形成されている。これらの押し込み片３３はいずれも各切り込み３１，３２が連続する（交差する）所定箇所３５に隣接した頂部３３ａを有している。
【００５３】
上記の構成によれば、基材２１に複数の押し込み片３３が形成されているため、押し込み片３３を用いて包装用フィルム１３を開封する際に都合がよい。例えば、各押し込み片３３が互いに異なる向きに破断頂部３３ａを向けているため、押し込み片３３で包装用フィルム１３を破断する際に押し込み片３３を押し込み易い向きに商品包装体１０（詳しくは開封用ラベル２０）の向きを変えるといった手間が不要となる。また、いずれかの押し込み片３３で上手く包装用フィルム１３を開封できなかった場合に、別の押し込み片３３を用いて開封するといったことも可能となる。
【００５４】
ちなみに、各切り込み３１，３２は必ずしも直交させて（すなわち９０°で交差させて）設ける必要はなく、９０°とは異なる角度で交差させて設けてもよい。その場合、各押し込み片３３の頂部３３ａにおける角度、詳しくは切り込み３１，３２を挟んで隣接する各押し込み片３３の頂部３３ａにおける角度β，γ（β＜γ）が互いに異なることになる。また、この場合、それらの角度β、γの和は１８０°となる（β＋γ＝１８０°）。
【００５５】
このような場合、隣接する各押し込み片３３の頂部３３ａにおける角度β、γをそれぞれ７０°〜１１０°の範囲に設定するのが望ましい。そうすれば、各角度β、γをいずれも３０°〜１１０°の範囲とすることができ、各押し込み片３３のそれぞれにおいてフィルム１３を好適に破断することが可能となる。また、より望ましくは、上記の角度β、γは８０°〜１００°の範囲に設定するのがよい。そうすれば、各角度β、γをいずれも７５°〜１００°の範囲にすることができ、各押し込み片３３のそれぞれにおいてフィルム１３をより好適に破断することが可能となる。
【００５６】
（４）図５に示すように、切り込み２４，２５の一部に、当該切り込み２４，２５を挟んだ基材２１の両側部分を接合する接合部（点止め部）３８を設けてもよい。接合部３８は、切り込み２４，２５を挟んだ上記両側部分を熱溶着又は接着することで形成され、切り込み２４，２５に沿って所定の間隔で点状に設けられている。かかる構成によれば、開封用ラベル２０を剥離紙から剥がして包装用フィルム１３に貼り付ける際に、押し込み片２７が基材２１の他の部分から分離してしまうのを防止できるため、押し込み片２７が分離することで基材２１を上手く貼り付けられない等の不都合が生じるのを防止できる。特に、開封用ラベル２０を専用の貼り付け装置を用いて包装用フィルム１３に自動貼りする際には、押し込み片２７が意図せず分離してしまう事態が生じ易いと考えられるため、切り込み２４，２５の一部を点止めすることの意義は大きいといえる。
【００５７】
なお、切り込み２４，２５の一部を点止めする場合、各切り込み２４，２５を基材２１の端縁に達するように形成してもよい。
【００５８】
（５）上記実施形態では、粘着層２２を基材２１の裏面全域に亘って形成したが、これを変更して、粘着層２２を基材２１の裏面において切り込み２４，２５を挟んだ両側部分にのみ設けるようにしてもよい。その場合にも、押し込み片２７を包装用フィルム１３に押し込んでフィルム１３を破断する際に、フィルム１３が延びてしまうのを抑制することができる。
【符号の説明】
【００５９】
１０…商品包装体、１１…商品、１３…包装用フィルム、２０…開封用ラベル、２１…基材、２２…粘着層、２４…切り込み、２４ａ…開放端、２５…切り込み、２５ａ…開放端、２７…押し込み片、２７ａ…破断頂部としての頂部。
【図１】
2017077914.tif 000003
【図２】
2017077914.tif 000004
【図３】
2017077914.tif 000005
【図４】
2017077914.tif 000006
【図５】
2017077914.tif 000007